(57)【特許請求の範囲】
【請求項１】
対物レンズをレンズホルダを介して支持するアクトベースが筐体の貫通孔に挿通した１本の基準ボルトと２本の傾角調整ボルトとにより該筐体の端面に取り付けられ、その筐体に形成した基準ボルト用貫通孔と同心状の凹部内にワッシャが介在されると共に、該ワッシャと基準ボルトの頭部との間に円筒状ばねが介在され、該円筒状ばねにより基準ボルトを介してアクトベースを筐体の端面側に引っ張っており、アクトベースを筐体の端面に沿って前後左右方向に移動させて対物レンズの光軸を水平移動させると共に、前記ばねに抗して各傾角調整ボルトを操作することにより、対物レンズの光軸を半導体レーザから発したレーザ光の光軸に一致させるようにした光ピックアップにおいて、前記ワッシャを省略し、前記円筒状ばねに代えて、一端部を大径としそれ以外の部分を小径で円筒状に形成した略円筒状異径ばねが用いられ、該略円筒状異径ばねの一端部の外径を前記凹部の底面の径と同一または若干小さく設定すると共に、その略円筒状異径ばねの一端部以外の部分の外径を前記基準ボルトの頭部の径と同一または若干小さく設定しており、略円筒状異径ばねの一端部を前記凹部の底面に当接させると共に、その略円筒状異径ばねの他端部を基準ボルトの頭部に当接させたことを特徴とする光ピックアップ。
【発明の詳細な説明】
【０００１】
【発明の属する技術分野】
本発明は、対物レンズの傾角調整を安価な構造で容易に行なうことができるようにした光ピックアップに関する。
【０００２】
【従来の技術】
従来、光ピックアップに関する技術として特開平１０−１６２３７２号公報などに記載したものがあり、その一例を図７から図９に基づいて説明すると、これは、ディスクＤの径方向に沿って架設したガイドレール１に光ピックアップ２が移動可能に配置され、該光ピックアップ２の合成樹脂製筐体３にラック４が一体形成され、フィードモータ（図示せず）により歯車５を介して正逆回転されるピニオン６がラック４に噛合されており、前記フィードモータを正逆駆動することにより、歯車５、ピニオン６及びラック４を介して光ピックアップ２をガイドレール１に沿って前後方向ａ，ｂに移動させることができる。
【０００３】
前記筐体３の一端側に対物レンズユニット８とコリメータレンズＱＷＰとが設けられると共に、その筐体３の他端側にフォトダイオードＩＣからなる受光素子ＰＤが設けられ、筐体３内にハーフミラーＨＭと半導体レーザＬＤとが配置されており、その半導体レーザＬＤからレーザ光をハーフミラーＨＭ、コリメータレンズＱＷＰ及び対物レンズユニット８の対物レンズＯＬを介してディスクＤに投射し、その反射光を受光素子ＰＤで受光し、その受光信号に基づいてディスクＤに記録されている情報を読み取る。
【０００４】
前記対物レンズユニット８は、中央にシャフト１０を立設したアクトベース１１と、シャフト１０に摺動及び揺動可能に嵌合する対物レンズＯＬ支持用レンズホルダ１２と、該レンズホルダ１２に取り付けたフォーカスコイル１３及びトラッキングコイル１４と、レンズホルダ１２を間に挟んでアクトベース１１の両側部に固定した一対のマグネット１５と、アクトベース１１上に起立されてレンズホルダ１２の貫通孔１６に挿通された一対のヨーク１７とを有し、フォーカスコイル３１に通電してレンズホルダ１２をシャフト１０に沿ってフォーカス方向に摺動させることにより、対物レンズＯＬの焦点をディスクＤに合わせ、トラッキングコイル１４に通電してレンズホルダ１２をシャフト１０回りでトラッキング方向に揺動させることにより、ディスクＤの所定のトラックを追従する。
【０００５】
前記アクトベース１１に３つのねじ孔１９が所定間隔をおいて形成され、その各ねじ孔１９に対向して筐体３に３つの貫通孔２０が貫設され、その各貫通孔２０に１つの基準ボルト２１と２つの傾角調整ボルト２２が挿通され、基準ボルト２１の先端小径部及び傾角調整ボルト２２が各ねじ孔１９にねじ込まれ、筐体３に基準ボルト２１用貫通孔２０と同心状の凹部２３が形成され、該凹部２３の底面２３ａと基準ボルト２１の頭部２１ａとの間に円筒状ばね２４が介在されており、その円筒状ばね２４により基準ボルト２１を介してアクトベース１１を筐体３の端面側に引っ張っている。
【０００６】
上記構成において、工場から出荷する前の光軸調整工程で、アクトベース１１を前後方向ａ，ｂ及び左右方向ｃ，ｄに移動させて対物レンズＯＬの光軸Ｏ１を水平移動させると共に、各傾角調整ボルト２２のねじ込み量を調整することにより、対物レンズＯＬの光軸Ｏ１をラジアル方向ｅ，ｆ及びタンゼンシャル方向ｇ，ｈに傾動させて、その対物レンズＯＬの光軸Ｏ１をレーザ光の光軸Ｏ２に精密に一致させる。
【０００７】
【発明が解決しようとする課題】
上記従来の構成では、筐体３が合成樹脂により成形されているため、凹部２３の底面２３ａに円筒状ばね２４の端部が食い込んで、該円筒状ばね２４が基準ボルト２１の移動の障害物となって、アクトベース１１の水平移動及び傾動が阻害され、対物レンズＯＬの傾角調整が困難になる場合がある。
【０００８】
そこで、図１０（ａ）に示すように、凹部２３の底面２３ａと円筒状ばね２４との間にワッシャ２６を介在させている。これによると、円筒状ばね２４の端部がワッシャ２６上で滑りやすくなり、アクトベース１１の移動を容易に行うことができるが、その反面、ワッシャ２６の分だけ部品点数が増加して製作費が高くつくと共に、ワッシャ２６が底面２３ａ上を円筒状ばね２４の滑り方向とは逆向きに滑った場合に、図１０（ｂ）に示すように、円筒状ばね２４の端部がワッシャ２６の貫通孔と基準ボルト２１との間の隙間αに嵌まり込むことがあり、これによって、円筒状ばね２４が基準ボルト２１の移動の障害物となって、アクトベース１１の水平移動及び傾動が阻害され、対物レンズＯＬの傾角調整が困難になる場合がある。
【０００９】
本発明は、上記従来の欠点に鑑み、対物レンズの傾角調整を安価な構造で容易に行なうことができるようにした光ピックアップを提供することを目的としている。
【００１０】
【課題を解決するための手段】
上記目的を達成するため、請求項１に記載の発明は、対物レンズをレンズホルダを介して支持するアクトベースが筐体の貫通孔に挿通した１本の基準ボルトと２本の傾角調整ボルトとにより該筐体の端面に取り付けられ、その筐体に形成した基準ボルト用貫通孔と同心状の凹部内にワッシャが介在されると共に、該ワッシャと基準ボルトの頭部との間に円筒状ばねが介在され、該円筒状ばねにより基準ボルトを介してアクトベースを筐体の端面側に引っ張っており、アクトベースを筐体の端面に沿って前後左右方向に移動させて対物レンズの光軸を水平移動させると共に、前記ばねに抗して各傾角調整ボルトを操作することにより、対物レンズの光軸を半導体レーザから発したレーザ光の光軸に一致させるようにした光ピックアップにおいて、前記ワッシャを省略し、前記円筒状ばねに代えて、一端部を大径としそれ以外の部分を小径で円筒状に形成した略円筒状異径ばねが用いられ、該略円筒状異径ばねの一端部の外径を前記凹部の底面の径と同一または若干小さく設定すると共に、その略円筒状異径ばねの一端部以外の部分の外径を前記基準ボルトの頭部の径と同一または若干小さく設定しており、略円筒状異径ばねの一端部を前記凹部の底面に当接させると共に、その略円筒状異径ばねの他端部を基準ボルトの頭部に当接させたことを特徴としている。
【００１１】
上記構成によれば、凹部の底面と基準ボルトの頭部との間に介在させた異径ばねの一端部が前記底面に食い込んだとしても、該異径ばねの一端部が大径状に形成されているから、その異径ばねが適度に撓んで基準ボルトの移動を許容しアクトベースの水平移動及び傾動を阻害することがなく、対物レンズの傾角調整を容易に行うことができる。また、凹部の底面と異径ばねとの間のワッシャを省略しているので、その省略した分だけ製作費を安くすることができる。
【００１２】
また、異径ばねの一端部以外の部分が同径の円筒状に形成されているので、その円筒状部分を均等に圧縮してアクトベースを弾性的に確実に位置決めすることができる。
【００１３】
更に、異径ばねの一端部の外径が前記凹部底面の径と同一または若干小さく設定されているので、その異径ばねの一端部が筐体の貫通孔と基準ボルトとの間の隙間に嵌まり込むことがなく、アクトベースを円滑に水平移動及び傾動させて、対物レンズの傾角調整を精密に行うことができる。しかも、前記異径ばねの一端部以外の部分の外径が前記基準ボルトの頭部の径と同一または若干小さく設定されているので、基準ボルトの頭部により異径ばねを確実に圧縮して所望通りの引張力を発生させることができる。
【００１４】
【発明の実施の形態】
図１から図４は本発明の参考例である光ピックアップ２の要部を示すものであって、従来必要とされていたワッシャ２６（図１０参照）を省略し、凹部２３の底面２３ａと基準ボルト２１の頭部２１ａとの間に、一端部２８ａを大径とし他端部２８ｂを小径とした異径ばね２８が介在されている。上記以外の構成は図７から図１０に示す構成とほぼ同じであるから、同一部分に同一符号を付してその説明を省略する。
【００１５】
上記構成によれば、凹部２３の底面２３ａと基準ボルト２１の頭部２１ａとの間に介在させた異径ばね２８の一端部２８ａが前記底面２３ａに食い込んだとしても、その異径ばね２８の一端部２８ａが大径状に形成されているから、その異径ばね２８が適度に撓んで基準ボルト２１の移動を許容しアクトベース１１の水平移動及び傾動を阻害することがなく、対物レンズＯＬの傾角調整を容易に行うことができる。また、凹部２３の底面２３ａと異径ばね２８との間のワッシャ２６を省略しているので、その省略した分だけ製作費を安くすることができる。
【００１６】
前記異径ばね２８は、テーパ状に形成されており、その一端部２８ａの外径ｋ１を凹部２３の底面２３ａの径ｍと同一または若干小さく設定し、その他端部２８ｂの外径ｋ２を基準ボルト２１の頭部２１ａの径ｔと同一または若干小さく設定している。
【００１７】
上記構成によれば、異径ばね２８がテーパ状に形成されており、その異径ばね２８を全体的に均等に弾性変形させて基準ボルト２２を中心位置に戻そうとするので、アクトベース１１を円滑に水平移動及び傾動させることができる。また、異径ばね２８の一端部２８ａの外径ｋ１が凹部２３の底面２３ａの径ｍと同一または若干小さく設定されているので、その異径ばね２８の一端部２８ａが貫通孔２０と基準ボルト２１との間の隙間βに嵌まり込むことがなく、アクトベース１１を円滑に水平移動及び傾動させて、対物レンズＯＬの傾角調整を精密に行うことができる。しかも、前記異径ばね２８の他端部２８ｂの外径ｋ２が基準ボルト２１の頭部２１ａの径ｔと同一または若干小さく設定されているので、基準ボルト２１の頭部２１ａにより異径ばね２８を確実に圧縮して所望通りの引張力Ｆを発生させることができる。
【００１８】
図５及び図６は本発明の実施の一形態である光ピックアップ２の要部を示すものであって、従来必要とされていたワッシャ２６（図１０参照）を省略し、凹部２３の底面２３ａと基準ボルト２１の頭部２１ａとの間に、一端部３０ａだけを大径としそれ以外の部分を小径とした異径ばね３０が介在され、該異径ばね３０の一端部２８ａを凹部２３の底面２３ａに当接させると共に、その異径ばね３０の他端部３０ｂを基準ボルト２１の頭部２１ａに当接させている。上記以外の構成は図１から図４に示す構成とほぼ同じであるから、同一部分に同一符号を付してその説明を省略する。
【００１９】
上記構成によれば、凹部２３の底面２３ａと基準ボルト２１の頭部２１ａとの間に介在させた異径ばね３０の一端部３０ａが前記底面２３ａに食い込んだとしても、その異径ばね３０の一端部３０ａが大径状に形成されているから、その異径ばね３０が適度に撓んで基準ボルト２１の移動を許容しアクトベース１１の水平移動及び傾動を阻害することがなく、対物レンズＯＬの傾角調整を容易に行うことができる。また、凹部２３の底面２３ａと異径ばね３０との間のワッシャ２６を省略しているので、その省略した分だけ製作費を安くすることができる。
【００２０】
前記異径ばね２８は、一端部３０ａだけを大径とした略円筒状に形成されており、その一端部３０ａの外径ｋ３を凹部２３の底面２３ａの径ｍと同一または若干小さく設定し、一端部３０ａ以外の部分の外径ｋ４を基準ボルト２１の頭部２１ａの径ｔと同一または若干小さく設定している。
【００２１】
上記構成によれば、異径ばね３０の一端部３０ａの外径ｋ３が凹部２３の底面２３ａの径ｍと同一または若干小さく設定されているので、その異径ばね３０の一端部３０ａが貫通孔２０と基準ボルト２１との間の隙間βに嵌まり込むことがなく、アクトベース１１を円滑に水平移動及び傾動させて、対物レンズＯＬの傾角調整を精密に行うことができる。しかも、異径ばね３０の一端部３０ａ以外の部分の外径ｋ４が基準ボルト２１の頭部２１ａの径ｔと同一または若干小さく設定されているので、基準ボルト２１の頭部２１ａにより異径ばね３０を確実に圧縮して所望通りの引張力Ｆを発生させることができる。
【００２２】
【発明の効果】
請求項１に記載の発明によれば、凹部の底面と基準ボルトの頭部との間に介在させた異径ばねの一端部が前記底面に食い込んだとしても、該異径ばねの一端部が大径状に形成されているから、その異径ばねが適度に撓んで基準ボルトの移動を許容しアクトベースの水平移動及び傾動を阻害することがなく、対物レンズの傾角調整を容易に行うことができる。また、凹部の底面と異径ばねとの間のワッシャを省略しているので、その省略した分だけ製作費を安くすることができる。
【００２３】
また、異径ばねの一端部以外の部分が同径の円筒状に形成されているので、その円筒状部分を均等に圧縮してアクトベースを弾性的に確実に位置決めすることができる。
【００２４】
更に、異径ばねの一端部の外径が前記凹部底面の径と同一または若干小さく設定されているので、その異径ばねの一端部が筐体の貫通孔と基準ボルトとの間の隙間に嵌まり込むことがなく、アクトベースを円滑に水平移動及び傾動させて、対物レンズの傾角調整を精密に行うことができる。しかも、前記異径ばねの一端部以外の部分の外径が前記基準ボルトの頭部の径と同一または若干小さく設定されているので、基準ボルトの頭部により異径ばねを確実に圧縮して所望通りの引張力を発生させることができる。
【図面の簡単な説明】
【図１】本発明の参考例である光ピックアップの要部を示す縦断面図である。
【図２】図１のＡ−Ａ矢視図である。
【図３】図１のＢ−Ｂ矢視図である。
【図４】同異径ばねの斜視図である。
【図５】本発明の実施の一形態である光ピックアップの要部を示す縦断面図である。
【図６】同異径ばねの斜視図である。
【図７】同光ピックアップの平面図である。
【図８】図７のＣ−Ｃ矢視図である。
【図９】図７のＥ−Ｅ矢視図である。
【図１０】（ａ）は従来例を示す要部の縦断面図、（ｂ）は同従来例の欠点を示す縦断面図である。
【符号の説明】
２        光ピックアップ
３        筐体
１１      アクトベース
１２      レンズホルダ
２０      貫通孔
２１      基準ボルト
２１ａ    基準ボルトの頭部
２２      傾角調整ボルト
２３      凹部
２３ａ    凹部の底面
２６      ワッシャ
２８      テーパ状異径ばね
２８ａ    テーパ状異径ばねの一端部
２８ｂ    テーパ状異径ばねの他端部
３０      略円筒状異径ばね
３０ａ    略円筒状異径ばねの一端部
３０ｂ    略円筒状異径ばねの他端部
ＯＬ      対物レンズ
ｋ１      テーパ状異径ばねの一端部の外径
ｋ２      テーパ状異径ばねの他端部の外径
ｋ３      略円筒状異径ばねの一端部の外径
ｋ４      略円筒状異径ばねの一端部以外の部分の外径
ｍ        凹部底面の径
ｔ        基準ボルトの頭部の径
【図１】
0003627928.tif 000002
【図２】
0003627928.tif 000003
【図３】
0003627928.tif 000004
【図４】
0003627928.tif 000005
【図５】
0003627928.tif 000006
【図６】
0003627928.tif 000007
【図７】
0003627928.tif 000008
【図８】
0003627928.tif 000009
【図９】
0003627928.tif 000010
【図１０】
0003627928.tif 000011